(57)【要約】【課題】外装材の重量によって外装材受け部が下方へ曲がらない構造とした外装材取付金具を提供することを目的とするものである。【解決手段】本発明に係る外装材取付金具１は、外壁固定用のビス穴３が貫設された外壁当接面２と、外壁当接面２の両端が折り曲げ形成された通気路保持部８と、通気路保持部８の先端に形成された外装材受圧面部１１と、外装材受圧面部１１と、その内側端が近接するように外壁当接面２の下端より水平状に折り曲げ形成された外装材受け部５と、外装材受け部５の先端に立設された外装材下端係留部６とを備える。【選択図】図１
2010229636.tif 000002
【特許請求の範囲】
【請求項１】
外壁固定用のビス穴が貫設された外壁当接面と、
前記外壁当接面の両端が折り曲げ形成された通気路保持部と、
前記通気路保持部の先端に形成された外装材受圧面部と、
前記外壁当接面の下端より略水平状に折り曲げ形成された外装材受け部と、
前記外装材受け部の先端に立設された外装材下端係留部と、
前記外装材受け部の両側端が前記通気路保持部および外装材受圧面部に沿って形成された切欠開口部とから構成され、
前記外装材受圧面部に臨む前記切欠開口部の内側端は、該外装材受圧面部に近接状態とされた
外装材取付金具。
【請求項２】
前記外装材受け部の先端に外装材上端係留部が垂設された
請求項1記載の外装材取付金具。
【請求項３】
前記外装材受圧面部に、前記外装材受け部の内側端が係留される突起部を設ける
請求項１または２に記載の外装材取付金具。
【発明の詳細な説明】
【技術分野】
【０００１】
本発明は、外装材取付金具に関する。詳しくは建築物等の外壁面に外装材を取り付けるための外装材取付金具に係るものである。
【背景技術】
【０００２】
従来より建築物等の外壁面に外装材を取り付けるための取付金具が提案されており、例えば特許文献１に記載されている。具体的には図７（図７（イ）は、外装材接続金具の斜視図を示す、図７（ロ）は、外装接続金具の取り付け状態の側断面図を示す。）に示すように、外装材接続金具１１０は、外壁固定用のビス穴１０１を有する外壁当接面１０２と、この外壁当接面１０２の両端を湾曲状に折り曲げて形成したリブ１０３を有し、外壁当接面１０２の下端より、上下の外装材端部に当接する立設片１０４と垂直片１０５と有する水平板１０６を延設した構造とされている。
【０００３】
しかし、図７（ロ）に示すように、外壁面１０７に外装材接続金具１１０をビス１０８によって取付け固定した場合に、外装材１０９と外壁面１０７とはリブ１０３の高さによって通気層１１１が形成されることになり、充分な通気層１１１を確保することができない問題がある。
また、外装材１０９を受ける水平板１０６の面積が小さいために保持力が弱いという問題がある。
【０００４】
そこで、本件出願人は前記の問題点を解消するために外装材取付金具を出願した。具体的には、図８に示すように、取付金具１２０の両側に一定幅の通気層が確保され、かつ外装材裏側が接し、固定するための外装材受圧面部１２１と、その内側に、先端部分が下側に折り曲げられた外装材固定部１２２と、先端部分が上側に折り曲げられた外装材受け部１２３とから構成されている。
【先行技術文献】
【特許文献】
【０００５】
【特許文献１】実開平５−８３０号公報
【特許文献２】実用新案登録第３０６９０３０号公報
【発明の概要】
【発明が解決しようとする課題】
【０００６】
しかしながら特許文献２における外装材取付金具では、金属板に切込みを入れて折り曲げて作成されるものであり、外装材受け部１２３は外装材受圧面部１２１より前方に突出された状態で外装材を保持することになり、補強用のリブ１２４を施しても外装材受け部１２３部分のみが外装材の重量により下方へ折曲がる恐れがある。
【０００７】
本発明は、以上に点に鑑みて創案されたものであって、外装材の重量によって外装材受け部が下方へ曲がらない構造とした外装材取付金具を提供することを目的とするものである。
【課題を解決するための手段】
【０００８】
上記の目的を達成するために、本発明に係る外装材取付金具は、外壁固定用のビス穴が貫設された外壁当接面と、前記外壁当接面の両端が折り曲げ形成された通気路保持部と、前記通気路保持部の先端に形成された外装材受圧面部と、前記外壁当接面の下端より略水平状に折り曲げ形成された外装材受け部と、前記外装材受け部の先端に立設された外装材下端係留部と、前記外装材受け部の両側端が前記通気路保持部および外装材受圧面部に沿って形成された切欠開口部とから構成され、前記外装材受圧面部に臨む前記切欠開口部の内側端は、該外装材受圧面部に近接状態とされる。
【０００９】
ここで、外装材受圧面部に外装材受け部の内側端が近接するような構成とされることにより、外装材の重量によって外装材受け部にかかる下方へのモーメントは外装材受圧面部に分散される。
【００１０】
また、外装材受け部の先端に外装材上端係留部が垂設されることにより、外装材の下端は外装材受け部の外装材下端係留部によって係止されると共に、この外装材の下方に配置される外装材の上端は外装材上端係留部によって係止される。
【００１１】
また、外装材受圧面部に、外装材受け部の内側端が係留される突起部を設けることによって、外装材の重量によって外装材受け部にかかる下方へのモーメントは外装材受圧面部に分散されると共に、外装材受け部の内側端が外装材受圧面部に設けられる突起部によって係留されることにより外装材受け部の変形を防止することが可能となる。
【発明の効果】
【００１２】
本発明の外装材の取付金具によれば、外装材受け部の内側端を外装材受圧面部に接することにより、外装材の重量により下方向へのモーメントが外装材受け部と外装材受圧面部分散されることにより外装材受け部の下方向への変形を防止することが可能となる。
【図面の簡単な説明】
【００１３】
【図１】本発明を適用した外装材取付金具の一例を示す斜視図である。
【図２】本発明を適用した外装材取付金具の一例を示す展開説明図である。
【図３】本発明を適用した外装材取付金具の一例の要部拡大図である。
【図４】本発明を適用した外装材取付金具の一例の装着状態を示す説明図である。
【図５】本発明を適用した外装材取付金具の他の例を示す斜視図である。
【図６】本発明を適用した外装材取付金具の他の例の装着状態を示す説明図である。
【図７】従来の外装材取付金具の一例を示す説明図である。
【図８】従来の外装材取付金具の他の例を示す説明図である。
【発明を実施するための形態】
【００１４】
以下、本発明の実施の形態を図面を参酌しながら説明し、本発明の理解に供する。
図１は、本発明を適用した外装材取付金具の一例を示す斜視図、図２は、本発明を適用した外装材取付金具の一例を示す展開説明図、図３は、本発明を適用した外装材取付金具の一例の要部拡大図、図４は、本発明を適用した外装材取付金具の一例の装着状態を示す説明図である。
【００１５】
ここで示す外装材取付金具１は、プレス機等の金型加工によって鋼板が四辺形状に打ち抜かれると共に、外壁当接面２にビス穴３が貫設され、更に切込み４が入れられ折り曲げて目的の外装材取付金具に形成されている。
【００１６】
まず、図２において切込み４が開設される外装材受け部５部分が略直角状に立ち上げられ、更にその先端の中央部分が上方に略直角状に折り曲げられて外装材下端係留部６とされ、この外装材下端係留部６の両側に位置する外装材受け部５の先端部分が下方に略直角状に折り曲げられて外装材上端係留部７とされている。
【００１７】
次に、外壁当接面２の両側を内側へ略直角状に折り曲げて通気路保持部８とされると共に、その先端を外側へ略直角状に折り曲げて外装材の裏面に接するための外装材受圧面部９が形成されている。
【００１８】
また、通気路保持部８、８との間の外壁当接面２には、建築物等の外壁に固定するためのビス穴３が貫設され、更に外装材受け部５の折り曲げ部分には強度向上を目的とする補強用リブ９が形成されている。
【００１９】
ここで、外装材受け部５の両側端が通気路保持部８と外装材受圧面部９に沿って切り欠いた切欠開口部１０が設けられている。この切欠開口部１０によって外装材受け部５の内側端が外装材受圧面部１１に対峙するまで延設され、かつ外装材受け部５に臨む切欠開口部１０の内側端１４が外装材受圧面部９に接するように形成されている。
【００２０】
そして外装材受け部５の両側端に形成される切欠開口部１０の内側端１４が接する外装材受圧面部１１の直近下部に、外装材受け部５の内側端１４が係留するための係留突起部１２が形成されている。
【００２１】
本発明の外装材取付金具では図４に示すように、建築物等の外壁Ａに対して外装材取付金具１の外壁当接面２裏面を当接し、ビスＢをビス穴３にねじ込ませることによって外装材取付金具１が取り付けられる。
【００２２】
そこで、外装材Ｃの下端面に設けられる差込み溝Ｄを、外装材受け部５の外装材下端係留部６に挿入することにより外装材Ｃの下端は外装材受圧面部９と外装材受け部５の外装材下端係留部６との間によって保持される。また、外装材Ｄの上端面に設けられる挿込み溝Ｅを、外装材受け部５の外装材上端係留部７に挿入することにより外装材Ｃの上端は保持される。
【００２３】
また、通気路保持部８によって外装材Ｃと外壁Ａとの間に一定間隔の通気路Ｅが確保される。更に、外装材受け部５の両側内側端は外装材受圧面部１１と接した状態とされると共に、外装材受圧面部１１の直近下部に係留突起部１２が形成されているために外装材Ｃの重量によって外装材受け部５に下方へのモーメントは外装材受圧面部１１に分散され、かつ係留突起部１２によって外装材受け部５の両側端に形成される切欠開口部１０の内側端１４が係止されることにより外装材受け部５の下方へ変形が防止される。
【００２４】
なお、本実施例では外装材受け部５の両側端に形成される切欠開口部１０の内側端１４が外装材受圧面部１１に接した状態を詳述するものであるが、必ずしも外装材受圧面部１１に接する必要性は無く、例えば近接した状態であっても構わない。
【００２５】
次に、図５は、本発明を適用した外装材取付金具の他の例を示す斜視図であり、外壁当接面２の下部に外装材受け部５部分が略直角状に立ち上げられ、更にその先端が上方に略直角状に折り曲げられて外装材下端係留部６とされている。
【００２６】
また、外壁当接面２の両側を内側へ略直角状に折り曲げて通気路保持部８とされると共に、その先端を外側へ略直角状に折り曲げて外装材の裏面に接するための外装材受圧面部１１が形成されている。
【００２７】
また、通気路保持部８、８との間の外壁当接面２には、建築物等の外壁に固定するためのビス穴３が貫設され、更に外装材受け部５の折り曲げ部分には強度向上を目的とする補強用リブ９が形成されている。
【００２８】
ここで、外装材受け部５の両側端が通気路保持部８と外装材受圧面部１１に沿って切り欠いた切欠開口部１０が設けられている。この切欠開口部１０によって切欠開口部の内側端が外装材受圧面部１１に対峙するように延設され、かつ外装材受圧面部１１に臨む切欠開口部の内側端１４が接するような状態に形成されている。
【００２９】
そして外装材受け部５の両側端に形成される切欠開口部１０の内側端１４が接する外装材受圧面部１１の直近下部に、切欠開口部１０の内側端１４が係留するための係留突起部１２が形成されている。
【００３０】
ここで、図６に示すように、外装材取付金具１は、外壁Ｂの最下部に取り付けられる外装材Ｃの下端を保持する場合に使用する。この場合には、外装材Ｃの下端面に設けられる差込み溝Ｅを、外装材受け部５の外装材下端係留部６に挿入することにより外装材Ｃの下端は外装材受圧面部１１と外装材受け部５の外装材下端係留部６との間によって保持されている。また、外装材Ｃの上端面に設けられる挿込み溝Ｄを、外装材受け部５の外装材上端係留部７に挿入することにより外装材Ｃの上端は保持されている。
【００３１】
また、通気路保持部８によって外装材Ｃと外壁Ａとの間に一定間隔の通気路Ｅが確保されている。更に、外装材受け部５の内側端１４は外装材受圧面部１１と接した状態とされると共に、外装材受圧面部１１の直近下部に係留突起部１２が形成されているために外装材Ｃの重量によって外装材受け部５に下方へのモーメントは外装材受圧面部１１に分散され、かつ係留突起部１２によって外装材受け部５の両側端の切欠開口部１０の内側端１４が係止されることにより外装材受け部５の下方への変形を防止することが可能となる。
【００３２】
以上の構成より成る本発明の外装材取付金具では、外装材受け部の内側端を外装材受圧面部に接し、その直近下部に係留突起部を設けることにより、外装材の重量により下方向へのモーメントが外装材受け部に分散されると共に、外装材受け部の内側端が係留突起部によって係止されることにより外装材受け部が下方向へ変形するのを防止することが可能となる。
【符号の説明】
【００３３】
１      外装材取付金具
２      外壁当接面
３      ビス穴
４      切込み
５      外装材受け部
６      外装材下端係留部
７      外装材上端係留部
８      通気路保持部
９      補強用リブ
１０    切欠開口部
１１    外装材受圧面部
１２    係留突起部
１３    溝部
１４    内側端
【図１】
2010229636.tif 000003
【図２】
2010229636.tif 000004
【図３】
2010229636.tif 000005
【図４】
2010229636.tif 000006
【図５】
2010229636.tif 000007
【図６】
2010229636.tif 000008
【図７】
2010229636.tif 000009
【図８】
2010229636.tif 000010